(57)【要約】【課題】  ケーブルに屈曲力がかかっても、ブーツがグランドナットから容易に外れないケーブル用コネクタを提供する。【解決手段】  ブーツ４の各突出部（被係合部）４ｄをグランドナット３の各溝部（係合部）３ｂにはめ込み、また、ブーツの溝部４ｅをグランドナットの突出部３ｄにはめ込む。続いて、アウターブーツクランプ５の切欠部（指標部）をグランドナットの平面カット部３ａにケーブル用コネクタの中心軸方向において合致させた後、アウターブーツクランプを矢印方向にブーツの外周面にはめる。すると、アウターブーツクランプの各突出部５ｃは、平面カット部に当接し、各突出部５ｃよりも右側の内周面５ｂはブーツの延伸部４ｃを内側に押圧する。この結果、各突出部４ｄは、圧縮されてグランドナットの各溝部に係合する。【選択図】  図４
2006172918.tif 000002
【特許請求の範囲】
【請求項１】
ケーブルと接続するコネクタにおいて、
前記コネクタは、前記ケーブルを保持する保持部材と、前記ケーブルを被覆する被覆部を有するブーツと、前記ブーツを前記保持部材に固定する固定部材とを備え、
前記保持部材は、係合部を有し、
前記ブーツは、前記係合部と係合する被係合部と、係合部とを有し、
前記固定部材は、前記ブーツの係合部と係合する突出部を有し、
前記固定部材が前記ブーツに装着されると、前記保持部材と前記固定部材とにより前記ブーツが挟持されることを特徴とするケーブル用コネクタ。
【請求項２】
前記保持部材は突出部を有し、前記ブーツは前記保持部材の突出部と係合する溝部を有することを特徴とする請求項１記載のケーブル用コネクタ。
【請求項３】
前記保持部材は平面カット部を有し、前記固定部材は指標部を有し、前記固定部材の前記ブーツへの装着の際、前記指標部は前記平面カット部に前記コネクタの中心軸方向において合致され、前記装着の後は、前記固定部材の突出部が前記平面カット部と前記ブーツの一端面に当接することを特徴とする請求項１記載のケーブル用コネクタ。
【発明の詳細な説明】
【技術分野】
【０００１】
本発明は、ケーブルと接続するコネクタに関し、詳しく述べると、ケーブルに屈曲力がかかっても、ブーツが保持部材（グランドナット等）から外れないケーブル用コネクタに関する。
【背景技術】
【０００２】
従来のケーブル用防水コネクタについて説明する（例えば、特許文献１参照。）。
【０００３】
図６と図７に示されるように、ケーブル用防水コネクタは、シールド線となるシールド編組を有するケーブル２１に接続され、導電性の円筒状バレル２２と円筒状バレル２２の外側に備えられるカップリングナット２３とを有する筐体２４を含む。カップリングナット２３は、相手側コネクタ（図示せず）に挿入されることにより、ワンタッチでロックされ結合される。円筒状バレル２２は、ケーブル２１のシールド線を相手側コネクタに接続する役割を営む。
【０００４】
ケーブル用防水コネクタは、更に、円筒状バレル２２の内側に配置されているコネクタ本体２５と、円筒状バレル２２の内側に配置され、コネクタ本体２５とケーブル２１の端部近傍に設けられているシールド部２６の一部とにそれぞれ両端がはまる円筒状スペーサ２７と、シールド部２６の他部にはまる導電性のシールドスリーブ２８と、シールドスリーブ２８に軸方向で対向するブッシュ２９と、ブッシュ２９に隣接するケーブルクランプ３１と、ケーブルクランプ３１に係合し、円筒状バレル２２の外側に螺合するグランドナット３２と、ケーブル２１を被覆し、グランドナット３２に軸方向で係合する絶縁性のブーツ３３とを含む。
【０００５】
コネクタ本体２５のインシュレータ３４には、複数の導電性コンタクト３５が保持され、各導電性コンタクト３５はケーブル２１の各芯線３６にそれぞれ接続される。
【０００６】
図８は、模式図であり、ケーブル用防水コネクタに接続されているケーブル２１に屈曲力がかかった状態を示す。
【０００７】
金属製のグランドナット３２の凹部にゴム製のブーツ３３の凸部が係合する。ケーブル２１に屈曲力がかからない場合には、ケーブル用防水コネクタの筐体２４とブーツ３３とは平行である。
【０００８】
しかし、図８に示されるように、ケーブル用防水コネクタにおいては、ケーブル２１に屈曲力がかかると、ブーツ３３がグランドナット３２から外れるという支障が生じる。
【０００９】
【特許文献１】特開２００４−１４６２９０号公報
【発明の開示】
【発明が解決しようとする課題】
【００１０】
前記従来のケーブル用防水コネクタにおけるブーツとグランドナットとの係合構造は、ゴム製のブーツの凸部と金属製のグランドナットの凹部とが係合する単純な構造である。
【００１１】
したがって、ケーブルに屈曲力がかかると、ブーツがグランドナットから容易に外れる。
【００１２】
そこで、本発明は、前記従来の技術の欠点を改良し、ケーブルに屈曲力がかかっても、ブーツがグランドナットから容易に外れないケーブル用コネクタを提供しようとするものである。
【課題を解決するための手段】
【００１３】
本発明は、前記課題を解決するため、次の手段を採用する。
【００１４】
１．ケーブルと接続するコネクタにおいて、前記コネクタは、前記ケーブルを保持する保持部材３と、前記ケーブルを被覆する被覆部を有するブーツと、前記ブーツを前記保持部材に固定する固定部材５とを備え、前記保持部材は、係合部３ｂを有し、前記ブーツは、前記係合部と係合する被係合部４ｄと、係合部４ｃ１とを有し、前記固定部材は、前記ブーツの係合部と係合する突出部５ｃを有し、前記固定部材が前記ブーツに装着されると、前記保持部材と前記固定部材とにより前記ブーツが挟持されるケーブル用コネクタ。
【００１５】
２．前記保持部材は突出部３ｄを有し、前記ブーツは前記保持部材の突出部と係合する溝部４ｅを有する前記１記載のケーブル用コネクタ。
【００１６】
３．前記保持部材は平面カット部を有し、前記固定部材は指標部５ａを有し、前記固定部材の前記ブーツへの装着の際、前記指標部は前記平面カット部に前記コネクタの中心軸方向において合致され、前記装着の後は、前記固定部材の突出部が前記平面カット部に当接する前記１記載のケーブル用コネクタ。
【発明の効果】
【００１７】
明細書の説明から明らかなように、本発明は、次の効果を奏する。
【００１８】
１．固定部材がブーツを保持部材に係合するように固定するので、ケーブルに屈曲力がかかっても、ブーツが保持部材から外れない。
【００１９】
２．固定部材をブーツと保持部材に装着することのみにより、耐ケーブル屈曲性能が向上するので、ケーブル用コネクタの全長は長くならない。
【００２０】
３．ケーブル用コネクタに新規部品として固定部材１個が追加されるのみであるので、コストが安価であり、また、構造が簡素である。
【発明を実施するための最良の形態】
【００２１】
本発明の一実施例のケーブル用コネクタについて説明する。
【００２２】
本発明の実施例については、従来のケーブル用防水コネクタと同様な点の説明を省略し、相違する点の説明を行う。
【実施例１】
【００２３】
本発明の実施例１のケーブル用コネクタ、すなわち、ケーブル用コネクタの本体に保持されているグランドナットにブーツがアウターブーツクランプにより固定される構造について図１〜図５を参照して説明する。
【００２４】
まず、ケーブルコネクタ１の概要について図１〜図３を参照して説明する。
【００２５】
図１には、ケーブル用コネクタ１の樹脂製の筐体２に保持されている金属製のグランドナット（保持部材）３にゴム等製のブーツ４が係合している状態が、示されている。略円筒形状に構成された金属製のアウターブーツクランプ（固定部材）５は、まだ、ブーツ４の外側にはめ込まれていない。
【００２６】
図１の状態において、アウターブーツクランプ５の対向する２箇所に形成されたコ字状の切欠部（指標部）５ａと、グランドナット３の対向する２箇所に形成された平面カット部３ａとを、ケーブル用コネクタ１の中心軸方向において合致させる。続いて、アウターブーツクランプ５をブーツ４に矢印方向にはめ込む。すると、アウターブーツクランプ５は、図２に示される装着状態に至り、ブーツ４をグランドナット３に対して係合させる。
【００２７】
この結果、図３に示されるように、アウターブーツクランプ５は、ブーツ４をグランドナット３に圧接する。したがって、ブーツ４はグランドナット３に確実に固定される。よって、ブーツ４により被覆されているケーブル６が屈曲しても、ブーツ４がグランドナット３から外れる支障は生じない。
【００２８】
次に、グランドナット３とブーツ４とアウターブーツクランプ５との関連構造の詳細について、図４と図５を参照して説明する。
【００２９】
グランドナット３の外周面の対向する２箇所には、平面カット部３ａが形成され、また、両平面カット部３ａに隣接するグランドナット３の外周面の対向する２箇所には、溝部３ｂが形成されている。更に、グランドナット３の一端側には、雌ねじ３ｃが切られ、他端側には、３６０度にわたって突出部３ｄが形成されている。
【００３０】
ブーツ４は、ゴム又はエラストマーから製造され、略円筒形状の被覆部４ａと、被覆部４ａの一端付近の外周面から分岐する分岐部４ｂと、分岐部４ｂの先端から被覆部４ａに平行に延伸する延伸部４ｃと、延伸部４ｃの内周面の対向する２箇所から突出する突出部４ｄとから構成される。被覆部４ａの一端付近の外周面と分岐部４ｂの内側面との間に、溝部４ｅが形成されている。
【００３１】
アウターブーツクランプ５は、金属材料から製造され、略円筒形状に構成される。アウターブーツクランプ５の内周面５ｂの中央付近の対向する２箇所には、突出部５ｃが形成されている。
【００３２】
図４に示されるように、ブーツ４の各突出部（被係合部）４ｄをグランドナット３の各溝部（係合部）３ｂにはめ込み、また、ブーツ４の溝部４ｅをグランドナット３の突出部３ｄにはめ込む。続いて、アウターブーツクランプ５の切欠部（指標部）５ａをグランドナット３の平面カット部３ａにケーブル用コネクタ１の中心軸方向において合致させた後、アウターブーツクランプ５を矢印方向にブーツ４の外周面にはめる。すると、図５の状態に至る。
【００３３】
図５の状態では、アウターブーツクランプ５の各突出部５ｃはグランドナット３の各平面カット部３ａに当接し、各突出部５ｃよりも右側の内周面５ｂはブーツ４の延伸部４ｃを内側に押圧する。すると、各突出部４ｄは、圧縮されてグランドナット３の各溝部３ｂに係合する。なお、アウターブーツクランプ５の各突出部５ｃの右側面の段差部５ｄは、ブーツ４の延伸部４ｃの先端面（一端面、係合部）４ｃ１に当接する。
【００３４】
したがって、図５に示されるアウターブーツクランプ５がブーツ４とグランドナット３に装着されている状態では、ケーブル６に屈曲力がかかっても、ブーツ４はグランドナット３から外れない。
【００３５】
本実施例１においては、グランドナット３の平面カット部３ａ、溝部３ｂ、ブーツ４の突出部４ｄ、アウターブーツクランプ５の突出部５ｃは、それぞれ２箇所設けられているが、１箇所又は３箇所以上設けるように設計変更することができる。
【図面の簡単な説明】
【００３６】
【図１】本発明の実施例１のケーブル用コネクタの斜視図（ただし、アウターブーツクランプの装着前の状態）である。
【図２】同ケーブル用コネクタの斜視図である。
【図３】同ケーブル用コネクタに接続されているケーブルが屈曲された場合の正面図である。
【図４】同ケーブル用コネクタのグランドナット、ブーツ及び同アウターブーツクランプの断面図（ただし、同アウターブーツクランプの装着前の状態）である。
【図５】同ケーブル用コネクタの同グランドナット、同ブーツ及び同アウターブーツクランプの断面図である。
【図６】従来のケーブル用防水コネクタの断面図である。
【図７】同ケーブル用防水コネクタの要部の断面図である。
【図８】同ケーブル用防水コネクタに接続されているケーブルが屈曲された場合の模式的正面図である。
【符号の説明】
【００３７】
１  ケーブルコネクタ
２  筐体
３  グランドナット（保持部材）
３ａ  平面カット部
３ｂ  溝部（係合部）
３ｃ  雌ねじ
３ｄ  突出部
４  ブーツ
４ａ  被覆部
４ｂ  分岐部
４ｃ  延伸部
４ｃ１  先端面（一端面、係合部）
４ｄ  突出部（被係合部）
４ｅ  溝部
５  アウターブーツクランプ（固定部材）
５ａ  切欠部（指標部）
５ｂ  内周面
５ｃ  突出部
５ｄ  段差部
６  ケーブル
【図１】
2006172918.tif 000003
【図２】
2006172918.tif 000004
【図３】
2006172918.tif 000005
【図４】
2006172918.tif 000006
【図５】
2006172918.tif 000007
【図６】
2006172918.tif 000008
【図７】
2006172918.tif 000009
【図８】
2006172918.tif 000010